(57)【要約】      （修正有）【課題】融雪用の水を融雪対象まで誘導するための動力を必要としない融雪装置を提供する。【解決手段】融雪装置は、融雪対象Ｏの上方に設置された散水管１０と、融雪に用いる水Ｗを散水管１０に誘導する誘導管２０ａ、２０ｂ、２０ｃとを備える。散水管１０は、側面に誘導管２０ａ、２０ｂ、２０ｃにより誘導された水Ｗを排出する複数の排出孔１１を有し、誘導管２０ａ、２０ｂ、２０ｃの一方の端部である取水口２１は、融雪対象Ｏよりも高度が高い位置を流れる水路の水中に開口しており、誘導管２０ａ、２０ｂ、２０ｃの他方の端部は、散水管１０の一方の端部の開口と接続されている。【選択図】図１
0003220442.tif 000002
【実用新案登録請求の範囲】
【請求項１】
融雪対象の上方に設置された散水管と、
融雪に用いる水を前記散水管に誘導する誘導管とを備え、
前記散水管は、側面に前記誘導管により誘導された水を排出する複数の排出孔を有し、
前記誘導管の一方の端部である取水口は、前記融雪対象よりも高度が高い位置を流れる水路の水中に開口しており、当該誘導管の他方の端部は、前記散水管の一方の端部の開口と接続されていることを特徴とする融雪装置。
【請求項２】
請求項１に記載の融雪装置において、
前記取水口は、止水弁を有しており、当該止水弁を閉じることにより融雪に用いる水の前記誘導管への流入を停止することができるように構成され、
前記止水弁は、当該止水弁の開閉を制御するワイヤと接続され、当該ワイヤが緩められた場合には当該止水弁は開き、当該ワイヤが引き締められた場合には当該止水弁は閉じるように構成され、
前記融雪装置は、前記ワイヤを緩める操作及び当該ワイヤを引き締める操作を行うことができる止水弁操作手段を備えることを特徴とする融雪装置。
【請求項３】
請求項１又は２に記載の融雪装置において、
前記散水管及び前記誘導管は、断熱性を有する素材により構成されていることを特徴とする融雪装置。
【考案の詳細な説明】
【技術分野】
【０００１】
本考案は、融雪装置に関する。
【背景技術】
【０００２】
従来、屋上やビニールハウス上の雪を融雪する融雪装置が知られている（例えば、特許文献１参照）。
【０００３】
特許文献１の装置によれば、太陽熱温水器から延びたパイプを通して、タンクに温水を備蓄し、当該温水を建物の屋上のパイプやビニールハウス上のスプリンクラーから流して屋上やビニールハウス上の雪を融雪することができる。
【先行技術文献】
【特許文献】
【０００４】
【特許文献１】特開２０００−６４９４６号公報
【考案の概要】
【考案が解決しようとする課題】
【０００５】
しかしながら、特許文献１の装置においては、屋上やビニールハウスの屋根などの融雪対象まで水道又は地下水を誘導するためにポンプを用いている。積雪の多い地域では、連日多くの雪が降るため、融雪装置を長時間にわたって稼働させる必要があるところ、特許文献１の装置においては、屋上やビニールハウスの屋根まで水を誘導するための動力源に費用（電動であれば電気代、灯油エンジンなどで稼働する場合は灯油代）を要するので、特許文献１の装置を長時間にわたって稼働させた場合、当該費用が過大なものとなるおそれがあり経済的ではない。
【０００６】
以上の事情に鑑みて、本考案は、融雪用の水を融雪対象まで誘導するための動力を必要としない融雪装置を提供することを目的とする。
【課題を解決するための手段】
【０００７】
本考案の融雪装置は、
融雪対象の上方に設置された散水管と、
融雪に用いる水を前記散水管に誘導する誘導管とを備え、
前記散水管は、側面に前記誘導管により誘導された水を排出する複数の排出孔を有し、
前記誘導管の一方の端部である取水口は、前記融雪対象よりも高度が高い位置を流れる水路の水中に開口しており、当該誘導管の他方の端部は、前記散水管の一方の端部の開口と接続されていることを特徴とする。
【０００８】
本考案によれば、融雪に用いる水を散水管に誘導する誘導管の取水口は、融雪対象よりも高度が高い位置を流れる河川、農業用水路などの水路の水中に開口しているので、当該水路の水が重力により誘導管を通して散水管まで誘導される。また、散水管まで誘導された水は、重力又は散水管内の水圧により当該散水管の側面に設けられた複数の排出孔をとおって排出される。そして、当該排出された水が、融雪対象上の雪を融雪する。そのため、ポンプ等の動力を使用せず、自然の力のみを利用して融雪対象上の雪を融雪することができる。
【０００９】
このように、本考案の融雪装置によれば、融雪用の水を融雪対象まで誘導するための動力を必要としない融雪装置を提供することができる。
【００１０】
本考案の融雪装置において、
前記取水口は、止水弁を有しており、当該止水弁を閉じることにより融雪に用いる水の前記誘導管への流入を停止することができるように構成され、
前記止水弁は、当該止水弁の開閉を制御するワイヤと接続され、当該ワイヤが緩められた場合には当該止水弁は開き、当該ワイヤが引き締められた場合には当該止水弁は閉じるように構成され、
前記融雪装置は、前記ワイヤを緩める操作及び当該ワイヤを引き締める操作を行うことができる止水弁操作手段を備えることが好ましい。
【００１１】
積雪がない時は融雪をする必要がないので、積雪がない時には融雪用の水の流れを止めることができ、積雪がある時には融雪を再開することができるなど、必要に応じて水の流れを制御できれば融雪装置の利便性がより高まる。
【００１２】
本考案によれば、止水弁操作手段を操作することにより、取水口が有する止水弁を閉じて融雪に用いる水の誘導管への流入を停止させ、又は取水口が有する止水弁を開いて融雪に用いる水の誘導管への流入を再開することができる。
【００１３】
なお、止水弁を閉じて融雪に用いる水の誘導管への流入を停止した場合には、排出孔から水が自然に排出されるので、誘導管及び散水管内に水は残らず、融雪装置を使用していない際に誘導管及び散水管内の水が凍結してしまい、次回に止水弁を開いた際に水が散水管まで流れて来ず融雪を再開することができない不都合を生じさせない。
【００１４】
このように、本考案の融雪装置によれば、必要に応じて融雪に用いる水の誘導管への流入を制御することができるとともに、融雪用の水を融雪対象まで誘導するための動力を必要としない融雪装置を提供することができる。
【００１５】
本考案の融雪装置において、
前記散水管及び前記誘導管は、断熱性を有する素材により構成されていることが好ましい。
【００１６】
融雪装置の使用中の外気温が氷点下である場合、散水管内部及び誘導管内部を流れる水が凍結してしまい、融雪を行うことができないおそれがある。
【００１７】
本考案によれば、散水管及び誘導管は、断熱性を有する素材により構成されているので、散水管内部及び誘導管内部を流れる水が凍結してしまう可能性が低減されるため、散水管及び誘導管の外の気温が氷点下であっても、融雪を行うことができる可能性が高まる。
【００１８】
このように、本考案の融雪装置によれば、外気温が氷点下であっても融雪を行うことができる可能性を高めつつ、融雪用の水を融雪対象まで誘導するための動力を必要としない融雪装置を提供することができる。
【図面の簡単な説明】
【００１９】
【図１】融雪装置の全体構成を示す説明図。
【図２】融雪装置の止水弁操作手段による操作時の動作を示す説明図。
【考案を実施するための形態】
【００２０】
＜融雪装置の構成＞
まず図１を参照して、融雪装置の構成の一例を説明する。
【００２１】
本考案の融雪装置は、融雪対象Ｏの上方に設置された散水管１０と、融雪に用いる水Ｗを散水管１０に誘導する誘導管２０とにより構成されている。
【００２２】
散水管１０は、その内部に水Ｗを流すことができる中空の筒状の部材である。また散水管１０は、側面に誘導管２０により誘導された水Ｗを排出する複数の排出孔１１を有している。散水管１０まで誘導された水Ｗは、重力又は散水管１０内の水圧により当該散水管１０の側面に設けられた複数の排出孔１１をとおって散水管１０の外側へと排出される。誘導管２０により誘導された水Ｗが、矢印Ｄ１で示す方向に流れ出ることで、融雪対象（本実施形態においては家屋の屋根）の表面の雪は融かされて、当該水Ｗとともに地面の方向に流れて行く。
【００２３】
なお排出孔１１は、融雪対象Ｏ上の雪をムラなく融かすために、間隔をおいて散水管１０の側面に設けられている。なお、排出孔１１同士の間隔、排出孔１１の孔の大きさ及び形状は、均一であってもよいし、融雪対象Ｏの形状、面積又は荷重に対する強度などの融雪対象Ｏの特性に応じて、それぞれが異なるように構成されていてもよい。あるいはさらに、スポンジなどの水を通す性質を有する多孔質体で散水管１０の側面全面又は一部を覆い、排出孔１１から排出された水Ｗがさらに分散されて融雪対象Ｏに散水されるように構成されていてもよい。
【００２４】
誘導管２０は、その内部に水Ｗを流すことができる中空の筒状の部材である。誘導管２０は、その一方の端部が取水口２１となっており、他方の端部は、散水管１０の一方の端部の開口とエルボ２２などの部材により水Ｗが漏れないように接続されている。
【００２５】
取水口２１は、融雪対象Ｏよりも高度が高い位置を流れる水路である河川Ｒの水中に開口している。例えば図１に示すように、融雪対象Ｏの上方に設置された散水管１０と、取水口２１との位置の間に高低差Ｈがあるように構成することで、河川Ｒを流れる水Ｗが矢印Ｄ２で示す方向に向けて当該取水口２１を通して誘導管２０内に流れ込み、当該流れ込んだ水Ｗが誘導管２０内を重力により下方向に向かうように移動することで、散水管１０へと誘導される。また、取水口２１には、誘導管２０に異物が入りこむことを防止するための機構が備えられていてもよい。当該機構は、例えば網状の部材で形成された袋状のカバーであり、当該カバーが取水口２１を覆うように配置されることにより誘導管２０に異物が入りこむことを防止する。あるいは当該機構は、誘導管２０内に設けられたフィルタであってもよい。
【００２６】
誘導管２０は、必要に応じて、複数の誘導管（２０ａ、２０ｂ、２０ｃ…）が相互にエルボ２２などの部材により水Ｗが漏れないように接続されて構成される。また誘導管２０は、取水口２１の位置よりも高度が高い部分を通過しないように配置される。
【００２７】
これにより、本考案によれば、ポンプ等の動力を使用せず、自然の力のみを利用して融雪対象上の雪を融雪することができる。
【００２８】
そして、取水口２１は、止水弁２３を有している。止水弁２３は、例えば取水口２１の開口全面を覆う蓋状の部材であり、当該止水弁２３が閉じられることにより、融雪に用いる水Ｗの誘導管２０への流入を停止することができるように構成されている。
【００２９】
止水弁２３は、ワイヤ２４を介して融雪対象Ｏ側にある止水弁操作手段２５と接続されている。
【００３０】
止水弁操作手段２５は、ハンドル２５ａ及びワイヤ巻取軸２５ｂを有している。止水弁操作手段２５が操作されることにより、ワイヤ２４が緩められ又は引き締められ、ワイヤ２４が緩められた場合には止水弁２３が開き、ワイヤ２４が引き締められた場合には止水弁２３が閉じるように構成されている。
【００３１】
止水弁２３は、取水口２１の開口全面を覆う状態から、水Ｗが誘導管２０へ流入するのに十分な角度に開いた状態まで回転可能となるように蝶番２６を用いて取水口２１に固定されている。そして蝶番２６は、ワイヤ２４が緩められたときにはバネ機構により止水弁２３が開いた状態に固定している。
【００３２】
なお、ワイヤ２４は誘導管２０内に適宜に設けられたワイヤガイド２７により摺動可能に支持されており、誘導管２０が図１に示すように途中で曲がって配置されている場合においても、ワイヤ２４が滑らかに緩められ又は引き締められるように構成されている。また、誘導管２０と止水弁操作手段２５との間においてワイヤ２４を保護するために、誘導管２０と止水弁操作手段２５との間は、ワイヤ２４はワイヤカバー２８により覆われている。
【００３３】
また、散水管１０、誘導管２０、エルボ２２及び散水管１０を融雪対象Ｏに固定する部材を用いる場合の当該部材は、融雪装置としての十分な耐久性を有する素材であれば、金属、木、コンクリート、プラスチックなど様々な素材を用いて構成されていてよいが、より好ましくは、断熱性を有する素材により構成される。
【００３４】
これにより、散水管１０内部及び誘導管２０内部を流れる水Ｗが凍結してしまう可能性が低減されるため、散水管１０及び誘導管２０の外の気温が氷点下であっても、融雪を行うことができる可能性が高まる。
【００３５】
＜融雪装置の操作＞
続いて、図２を参照して融雪装置の止水弁操作手段２５による操作時の動作について説明する。
【００３６】
図２に示すように、ハンドル２５ａが矢印Ｄ３の側に回転されることにより、ワイヤ２４がワイヤ巻取軸２５ｂに巻き取られて、矢印Ｄ４の側に引っ張られるように移動してワイヤ２４が引き締められた状態となる。そして、ハンドル２５ａが矢印Ｄ３の反対側に回転されることにより、ワイヤ巻取軸２５ｂに巻き取られたワイヤ２４が矢印Ｄ４の反対側に送り出され、ワイヤ２４が緩められる。
【００３７】
そして上述の通り、止水弁２３は、ワイヤ２４が緩められたときには蝶番２６のバネ機構により開いた状態に固定されているが、ワイヤ２４が引き締まっている時にはバネ機構の反発力に抗して止水弁２３が蝶番２６の軸芯を回転中心として取水口２１の開口全面を覆う状態になるまで矢印Ｄ５の方向に回転されて、止水弁２３が閉じられ、誘導管２０への水Ｗの流入が停止される。
【００３８】
また、再びワイヤ２４が緩められた場合には、蝶番２６のバネ機構の反発力により、水Ｗが誘導管２０へ流入するのに十分な角度に開いた状態まで止水弁２３が回転される。
【００３９】
これにより、止水弁操作手段２５を操作することにより、止水弁２３を閉じて融雪に用いる水Ｗの誘導管２０への流入を停止させ、又は止水弁２３を開いて融雪に用いる水Ｗの誘導管２０への流入を再開することができる。
【００４０】
また、止水弁２３を閉じて融雪に用いる水Ｗの誘導管２０への流入を停止した場合には、排出孔１１から水Ｗが自然に排出されるので、誘導管２０及び散水管１０の中に水Ｗは残らず、融雪装置を使用していない際に誘導管２０及び散水管１０の中の水Ｗが凍結してしまい、次回に止水弁２３を開いた際に水Ｗが散水管１０まで流れて来ず融雪を再開することができない不都合を生じさせない。
【００４１】
以上述べたように、本考案の融雪装置によれば、融雪用の水Ｗを融雪対象Ｏまで誘導するための動力を必要としない融雪装置を提供することができる。
【００４２】
以上、本考案の実施形態について説明したが、本考案はこれに限定されない。本考案の趣旨を逸脱しない範囲で、種々の変更が可能である。
【００４３】
例えば、止水弁２３は電磁弁でもよい。その場合、止水弁操作手段２５は、例えばボタン操作により止水弁２３の開閉を制御することができるリモートコントローラであり、ワイヤ２４、ハンドル２５ａ、ワイヤ巻取軸２５ｂ、ワイヤガイド２７、ワイヤカバー２８は省略される。
【００４４】
また、上記においては、融雪対象Ｏが家屋の屋根である場合について説明したが、これに限定されない。融雪に用いられる水Ｗの水源となる河川、農業用水路などの水路よりも高度が低い位置にあるものであれば、グリーンハウスの屋根、道路の路面、側溝など、様々なものに積もる雪の融雪に、融雪装置を用いることができる。
【００４５】
さらに、融雪対象Ｏは複数であってもよい、その場合、誘導管２０とそれぞれの融雪対象Ｏの上方に設置された散水管１０とは、例えば分岐するエルボ２２により接続される。
【符号の説明】
【００４６】
１０…散水管、１１…排出孔、２０…誘導管、２１…取水口、２２…エルボ、２３…止水弁、２４…ワイヤ、２５…止水弁操作手段、２５ａ…ハンドル、２５ｂ…ワイヤ巻取軸、２６…蝶番、２７…ワイヤガイド、２８…ワイヤカバー。
【図１】
0003220442.tif 000003
【図２】
0003220442.tif 000004